(57)【要約】【課題】使用者が蓋部に触れることなく投入口に物を入れることができる投入口開閉装置を提供する。【解決手段】投入口開閉装置２は、物を入れるための投入口４が形成される枠部６と、自重によって自動的に投入口４を閉鎖できるように、上端部を支点として揺動可能に構成される蓋部５と、枠部６の左右の辺部６ｂ，６ｃから背面側に延びる左右の側板部７ａ，７ｂと、を備える。左右の側板部７ａ，７ｂの少なくとも一方に蓋部５が揺動する範囲内に突出可能なストッパ１８を設ける。ストッパ１８が蓋部５に当接して蓋部５の所定の開き角を保持する。【選択図】図４
0003229568.tif 000002
【実用新案登録請求の範囲】
【請求項１】
物を入れるための投入口が形成される枠部と、自重によって自動的に前記投入口を閉鎖できるように、上端部を支点として揺動可能に構成される蓋部と、前記枠部の左右の辺部から背面側に延びる左右の側板部と、を備える投入口開閉装置において、
前記左右の側板部の少なくとも一方に前記蓋部が揺動する範囲内に突出可能なストッパを設け、
前記ストッパが前記蓋部に当接して前記蓋部の所定の開き角を保持する投入口開閉装置。
【請求項２】
前記ストッパが前記蓋部に当接して前記蓋部の所定の開き角を保持する状態と、前記ストッパが前記蓋部に当接せずに前記蓋部が前記投入口を自動的に閉鎖する状態と、を選択可能であることを特徴とする請求項１に記載の投入口開閉装置。
【請求項３】
前記ストッパは、前記側板部に着脱可能であることを特徴とする請求項２に記載の投入口開閉装置。
【請求項４】
前記ストッパは、前記側板部の上縁に取り付けられることを特徴とする請求項３に記載の投入口開閉装置。
【請求項５】
前記ストッパは、前記側板部が嵌まる溝を有することを特徴とする請求項３又は４に記載の投入口開閉装置。
【請求項６】
物を入れるための投入口が形成される枠部と、自重によって自動的に前記投入口を閉鎖できるように、上端部を支点として揺動可能に構成される蓋部と、前記枠部の左右の辺部から背面側に延びる左右の側板部と、を備える投入口開閉装置に用いられるストッパであって、
前記ストッパは、前記左右の側板部の少なくとも一方に設けられると共に、前記蓋部が揺動する範囲内に突出可能であり、
前記ストッパが前記蓋部に当接して前記蓋部の所定の開き角を保持する投入口開閉装置用ストッパ。
【考案の詳細な説明】
【技術分野】
【０００１】
本考案は、ごみ入れ等の物入れの投入口を開閉する投入口開閉装置及び投入口開閉装置用ストッパに関する。
【背景技術】
【０００２】
出願人は、ごみ等の物を入れるための投入口が形成される枠部と、枠部の投入口を開閉する蓋部と、を備える投入口開閉装置を提案している（特許文献１参照）。枠部は、例えばごみ箱が収容されるボックス本体の上部に取り付けられる。蓋部は、その自重によって投入口を自動的に閉鎖できるように、上端部を支点として揺動可能に構成される。
【０００３】
この投入口開閉装置において、使用者が手で蓋部を押し込んで投入口を開けば、ボックス本体内のごみ箱にごみを捨てることができる。一方、使用者が蓋部から手を離せば、蓋部がその自重によって投入口を自動的に閉鎖する。このため、ごみ等のにおいがボックス本体の外部に漏れるのを防止できる。
【先行技術文献】
【特許文献】
【０００４】
【特許文献１】特開２０１１−００１１４１号公報
【考案の概要】
【考案が解決しようとする課題】
【０００５】
しかしながら、従来の投入口開閉装置においては、使用者が手で蓋部を押し込んで投入口を開く必要がある。不特定多数の使用者が蓋部に触れるので、衛生面から特に新型コロナウィルス感染防止の観点から好ましくないという課題がある。
【０００６】
本考案は、上記の課題に鑑みてなされたものであり、使用者が蓋部に触れることなく投入口に物を入れることができる投入口開閉装置を提供することを目的とする。
【課題を解決するための手段】
【０００７】
上記課題を解決するために、本考案の一態様は、物を入れるための投入口が形成される枠部と、自重によって自動的に前記投入口を閉鎖できるように、上端部を支点として揺動可能に構成される蓋部と、前記枠部の左右の辺部から背面側に延びる左右の側板部と、を備える投入口開閉装置において、前記左右の側板部の少なくとも一方に前記蓋部が揺動する範囲内に突出可能なストッパを設け、前記ストッパが前記蓋部に当接して前記蓋部の所定の開き角を保持する投入口開閉装置である。
【０００８】
本考案の他の態様は、物を入れるための投入口が形成される枠部と、自重によって自動的に前記投入口を閉鎖できるように、上端部を支点として揺動可能に構成される蓋部と、前記枠部の左右の辺部から背面側に延びる左右の側板部と、を備える投入口開閉装置に用いられるストッパであって、前記ストッパは、前記左右の側板部の少なくとも一方に設けられると共に、前記蓋部が揺動する範囲内に突出可能であり、前記ストッパが前記蓋部に当接して前記蓋部の所定の開き角を保持する投入口開閉装置用ストッパである。
【考案の効果】
【０００９】
本考案によれば、ストッパが蓋部に当接して蓋部の所定の開き角を保持するので、使用者が蓋部に触らずに投入口に物を入れることができる。また、ストッパを枠部から背面側に延びる側板部に設けるので、いたずら等によってストッパが取り外されるのを防止することができる。
【図面の簡単な説明】
【００１０】
【図１】本考案の第１の実施形態の投入口開閉装置を組み込んだ物入れを示す図である（図１（ａ）は投入口開閉装置の投入口を蓋部によって閉鎖した状態を示し、図１（ｂ）は使用者が蓋部を押し込んで投入口を開いた状態を示す）。
【図２】図２（ａ）は本実施形態の投入口開閉装置を組み込んだ物入れの正面図であり、図２（ｂ）は図２（ａ）のｂ−ｂ線断面図である。
【図３】本実施形態の投入口開閉装置の背面側斜視図である（図３（ａ）は投入口を閉鎖した状態を示し、図３（ｂ）は投入口を開いた状態を示す）。
【図４】本実施形態の投入口開閉装置の背面側斜視図である（図４（ａ）はストッパによって蓋部を開き位置に保持した状態を示し、図４（ｂ）は図４（ａ）のｂ部拡大図を示す）。
【図５】ストッパの拡大斜視図である。
【図６】本実施形態の投入口開閉装置の背面図である（図６（ａ）はストッパによって蓋部を開き位置に保持した状態を示し、図６（ｂ）は図６（ａ）のｂ部拡大図を示す）。
【図７】図７（ａ）は本考案の第２の実施形態の投入口開閉装置の背面側斜視図であり、図７（ｂ）は図７（ａ）のｂ部拡大図である。
【図８】図８（ａ）は本考案の第３の実施形態の投入口開閉装置の側面図であり、図８（ｂ）は図８（ａ）のｂ−ｂ線断面図である。
【図９】図８（ｂ）のIX部拡大図である。
【考案を実施するための形態】
【００１１】
以下、添付図面に基づいて、本考案の実施形態の投入口開閉装置を詳細に説明する。ただし、本考案の投入口開閉装置は種々の形態で具体化することができ、本明細書に記載される実施形態に限定されるものではない。本実施形態は、明細書の開示を十分にすることによって、当業者が考案を十分に理解できるようにする意図をもって提供されるものである。
（第１の実施形態）
【００１２】
図１（ａ）（ｂ）は、本考案の第１の実施形態の投入口開閉装置２をごみ入れ等の物入れ１に適用した例を示す。図１（ａ）は、投入口開閉装置２の投入口４を蓋部５によって閉鎖した状態を示し、図１（ｂ）は、使用者が蓋部５を押し込んで投入口４を開いた状態を示す。
【００１３】
物入れ１は、投入口４が形成される投入口開閉装置２と、投入口開閉装置２が取り付けられるボックス本体３と、を備える。ボックス本体３内には、図示しないごみ箱等が収容される。図１（ｂ）に示すように、投入口４を開いてごみ等の物を入れれば、投入口４の下方のごみ箱等に物を収容することができる。ボックス本体３には、ごみ等が収容された箱を出し入れするための図示しない扉が開閉可能に取り付けられる。
【００１４】
図２（ａ）は物入れ１の正面図、図２（ｂ）は図２（ａ）のｂ−ｂ線断面図を示す。投入口開閉装置２は、投入口４が形成される枠部６と、投入口４を開閉する蓋部５と、を備える。枠部６は、四角形の枠状に形成される。枠部６は、上辺部６ａと、左右の辺部６ｂ，６ｃと、下辺部６ｄと、を備える。
【００１５】
図３（ａ）（ｂ）は、投入口開閉装置２の背面側斜視図を示す。図３（ａ）は投入口４（図２（ａ）参照）を閉鎖した状態を示し、図３（ｂ）は投入口４（図２（ａ）参照）を開いた状態を示す。６は枠部、５は蓋部、７ａ，７ｂは側板部である。
【００１６】
枠部６の左右の辺部６ｂ，６ｃの背面側には、左右の側板部７ａ，７ｂが設けられる。側板部７ａ，７ｂは、辺部６ｂ，６ｃの内側縁から背面側に延びている。側板部７ａ，７ｂは、互いに略平行であり、側板部７ａ，７ｂ間の間隔は、蓋部５の幅よりも僅かに大きい。側板部７ａ，７ｂ間には、蓋部５が揺動可能に配置される。左右の側板部７ａ，７ｂを設けることで、使用者の手や指が蓋部５と枠部６との間に挟まれるのを防止できる。左右の側板部７ａ，７ｂには、補強片８が連結される。
【００１７】
投入口開閉装置２は、左右の取付け部材９ａ，９ｂを介してボックス本体３に取り付けられる。取付け部材９ｂは、断面Ｕ字状であり、上述の側板部７ｂと、ウェブ部１０と、取付け板部１１と、を備える。取付け部材９ａは、取付け部材９ｂと左右対称である。
【００１８】
側板部７ａ，７ｂは、上述の通りである。側板部７ａ，７ｂの奥行方向の長さは、取付け板部１１の奥行方向の長さよりも長い。ウェブ部１０は、ねじ等の締結手段によって枠部６の左右の辺部６ｂ，６ｃの背面側に取り付けられる。取付け板部１１は、ねじ等の締結手段によってボックス本体３の開口部３ａ（図２（ｂ）参照）の内壁面に取り付けられる。側板部７ａ，７ｂには、ドライバ等の工具を通すアクセス孔１２が形成される。
【００１９】
枠部６の上辺部６ａと下辺部６ｄ（図２（ａ）参照）の背面側には、ボックス本体３に対して枠部６を上下に位置決めする位置決め片１３が取り付けられる。また、枠部６の下辺部６ｄの背面側には、閉鎖状態の蓋部５の下端部に当接する当接面６ｄ１（図４（ａ）参照）が形成される。
【００２０】
蓋部５は、その自重によって投入口４を自動的に閉鎖できるように、上端部を支点として揺動可能に構成される。蓋部５は、投入口４を開閉する蓋本体５ａと、蓋本体５ａに固定される支持部５ｂと、を備える。
【００２１】
蓋本体５ａの上端部５ａ１は円弧状に形成される。蓋本体５ａの下端部５ａ２は円状に形成される。蓋本体５ａの下端部５ａ２には、枠部６の下辺部６ｄの当接面６ｄ１に当接可能な当接面５ａ３（図３（ｂ）、図４（ａ）参照）が形成される。
【００２２】
支持部５ｂは、左右の側板部７ａ，７ｂと略平行な左右の支持板５ｂ１，５ｂ２を有する。支持板５ｂ１は、側板部７ａに枢軸１４を介して揺動可能に連結される。枢軸１４が蓋部５の揺動の支点を構成する。支持板５ｂ２には、回転ダンパ１５の軸が回転不可能に連結される。回転ダンパ１５の軸は、枢軸１４と同軸上にあり、蓋部５の揺動の支点を構成する。回転ダンパ１５の本体は、側板部７ｂに取り付けられる。蓋部５が閉じ方向に揺動すると、回転ダンパ１５の軸が回転し、蓋部５の閉じ方向の揺動を制動する。支持板５ｂ１，５ｂ２には、ロッド状の錘１７が取り付けられる。錘１７は、蓋部５を閉じ方向に付勢する。なお、回転ダンパ１５や錘１７を省略することもできる。
【００２３】
図４（ａ）（ｂ）に示すように、側板部７ａの上縁７ａ１には、蓋部５を所定の開き角（例えば９０°の開き角）に保持するストッパ１８が取り付けられる。
【００２４】
ストッパ１８は、側板部７ａに着脱可能である。図５に示すように、ストッパ１８は、側板部７ａが嵌まる溝２０が形成される本体部１８ａと、本体部１８ａの下部から左右に突出する張出し部１８ｂ，１８ｃと、を有する。ストッパ１８はその断面形状が逆Ｔ字状に形成される。
【００２５】
図６（ａ）（ｂ）に示すように、ストッパ１８を側板部７ａの上縁７ａ１に取り付けた状態において、本体部１８ａは蓋部５の揺動の範囲外に、すなわち蓋部５に干渉しないように配置される。一方、張出し部１８ｃは、蓋部５の揺動の範囲内に突出し、蓋部５と干渉する。なお、左側の張出し部１８ｂを省略してストッパ１８の断面形状をＬ字状に形成することもできる。
【００２６】
ストッパ１８を側板部７ａの上縁７ａ１に取り付ける際、図３（ａ）（ｂ）に示すストッパ１８を一旦側板部７ａから取り外し、図４（ａ）（ｂ）に示すように、蓋部５を開いた状態でストッパ１８を側板部７ａの奥側縁７ａ２に取り付け、その後、ストッパ１８を奥側縁７ａ２から上縁７ａ１までスライドさせる。ストッパ１８をスライドさせる際、ストッパ１８が落下しないように、ストッパ１８の溝２０が側板部７ａに軽圧入される。奥側縁７ａ２と上縁７ａ１との間には、ストッパ１８をスライドさせ易いように円弧部７ａ３が形成される。ストッパ１８を上縁７ａ１までスライドさせることにより、図６（ａ）（ｂ）に示すように、ストッパ１８の張出し部１８ｃが開き位置にある蓋部５に当接し、ストッパ１８が蓋部５を下面側から支持する。
【００２７】
なお、上記実施形態では、側板部７ａにストッパ１８を取り付けているが、左右の側板部７ａ，７ｂにストッパ１８を取り付けてもよい。また、上記実施形態では、側板部７ａの上縁７ａ１にストッパ１８を取り付けているが、側板部７ａの奥側縁７ａ２にストッパ１８を取り付けてもよい。
【００２８】
以上に本実施形態の投入口開閉装置２の構成を説明した。本実施形態の投入口開閉装置２によれば、以下の効果を奏する。
【００２９】
ストッパ１８が蓋部５に当接して蓋部５の所定の開き角を保持するので、使用者が蓋部５に触らずに投入口４に物を入れることができる。また、ストッパ１８を枠部６から背面側に延びる側板部７ａに設けるので、いたずら等によってストッパ１８が取り外されるのを防止することができる。
【００３０】
ストッパ１８が蓋部５に当接して蓋部５の所定の開き角を保持する状態と、ストッパ１８が蓋部５に当接せずに蓋部５が投入口４を自動的に閉鎖する状態と、を選択可能であるので、例えば新型コロナウィルスの感染が収まったときに通常使用状態に戻すことができる。
【００３１】
ストッパ１８が側板部７ａに着脱可能であるので、蓋部５が投入口４を自動的に閉鎖する状態と、蓋部５を開いた状態に保持する状態と、を適宜選択することができる。
【００３２】
ストッパ１８を側板部７ａの上縁７ａ１に取り付けるので、蓋部５の開き角を大きくすることができる。また、蓋部５の自重によってストッパ１８が側板部７ａに付勢されるので、蓋部５を安定して支持することができる。
【００３３】
ストッパ１８が側板部７ａに嵌まる溝２０を有するので、ストッパ１８を側板部７ａの縁に沿ってスライドさせることができる。
（第２の実施形態）
【００３４】
図７（ａ）（ｂ）は、本発明の第２の実施形態の投入口開閉装置２１を示す。図７（ａ）は、第２の実施形態の投入口開閉装置２１の背面側斜視図を示し、図７（ｂ）は、図７（ａ）のｂ部拡大図を示す。
【００３５】
第２の実施形態の投入口開閉装置２１も、枠部６、蓋部５、側板部７ａ，７ｂを備える。枠部６、蓋部５、側板部７ａ，７ｂの構成は、第１の実施形態と同一なので、同一の符号を附してその説明を省略する。
【００３６】
第１の実施形態では、ストッパ１８が溝式ストッパであるのに対し、第２の実施形態では、ストッパ２２がねじ式ストッパである。ストッパ２２は、雄ねじから構成される。側板部７ａには、ストッパ２２に螺合する雌ねじが形成される。ストッパ２２は、側板部７ａに着脱可能である。
【００３７】
ストッパ２２を側板部７ａに取り付け、ストッパ２２を蓋部５が揺動する範囲内に突出させると、蓋部５の所定の開き角を保持することができる。一方、ストッパ２２を回して、蓋部５が揺動する範囲からストッパ２２を引っ込めれば、蓋部５が自動的に閉鎖する状態にすることができる。
（第３の実施形態）
【００３８】
図８（ａ）（ｂ）、図９は、本発明の第３の実施形態の投入口開閉装置３１を示す。図８（ａ）は、第３の実施形態の投入口開閉装置３１の側面図、図８（ｂ）は図８（ａ）のｂ−ｂ線断面図、図９は図８（ｂ）のIX部拡大図を示す。
【００３９】
第３の実施形態の投入口開閉装置３１も、枠部６、蓋部５、側板部７ａ，７ｂを備える。枠部６、蓋部５、側板部７ａ，７ｂの構成は、第１の実施形態と同一なので、同一の符号を附してその説明を省略する。
【００４０】
第１の実施形態では、ストッパ１８が溝式ストッパであるのに対し、第３の実施形態では、ストッパ２３がスライド式ストッパである。図９に示すように、ストッパ２３は、中央の軸部２３ａと、両端の頭部２３ｂ，２３ｃと、を有する。側板部７ａには、軸部２３ａがスライド可能に嵌まる穴２４が形成される。ストッパ２３は、頭部２３ｂが側板部７ａに当たる第１位置（図９参照）と、頭部２３ｃが側板部７ａに当たる第２位置との間をスライド可能である。
【００４１】
図９に示すように、ストッパ２３の頭部２３ｂが側板部７ａに当たるとき、ストッパ２３の頭部２３ｃが、蓋部５が揺動する範囲内に突出する。このため、蓋部５の所定の開き角を保持することができる。
【００４２】
一方、ストッパ２３の頭部２３ｃが側板部７ａに当たるようにストッパ２３をスライドさせ、ストッパ２３を蓋部５が揺動する範囲から引っ込めれば、蓋部５が自動的に閉鎖する状態にすることができる。
【００４３】
なお、本考案は上記実施形態に具現化されるのに限られることはなく、本考案の要旨を変更しない範囲で他の実施形態に具現化できる。
【００４４】
上記実施形態では、投入口開閉装置をごみ入れに適用した例を説明したが、ごみ入れに限られることはなく、受取人が留守の時に宅配便や郵便物の受取を代行する宅配ボックス、レンタルＣＤ、レンタルＤＶＤの回収ボックス、携帯電話の回収ボックス等に適用することができる。
【００４５】
上記実施形態では、投入口開閉装置の枠部をボックス本体に取り付けた例を説明したが、枠部をボックス本体と一体にし、側板部をボックス本体の側板部に一体にすることもできる。
【符号の説明】
【００４６】
２…投入口開閉装置
４…投入口
５…蓋部
６…枠部
６ｂ，６ｃ…枠部の左右の辺部
７ａ，７ｂ…側板部
７ａ１…側板部の上縁
１４…枢軸（蓋部の揺動の支点）
１８…ストッパ
２０…ストッパの溝
２１…投入口開閉装置
２２…ストッパ
２３…ストッパ
３１…投入口開閉装置
【図１】
0003229568.tif 000003
【図２】
0003229568.tif 000004
【図３】
0003229568.tif 000005
【図４】
0003229568.tif 000006
【図５】
0003229568.tif 000007
【図６】
0003229568.tif 000008
【図７】
0003229568.tif 000009
【図８】
0003229568.tif 000010
【図９】
0003229568.tif 000011